【事件の表示】
　特許第２６９８８００号「時計の調時方法」の請求項１ないし２に係る特許に対する特許異議の申立てについて、次のとおり決定する。
【結論】
　訂正を認める。
　特許第２６９８８００号の請求項１ないし２に係る特許を維持する。
【理由】
１．手続きの経緯
　本件特許２６９８８００号発明は、平成５年７月９日に出願され、平成９年９月２６日にその設定登録がなされ、その後、リズム時計工業株式会社より特許異議の申立てがなされ、取消理由通知がなされ、その指定期間内である平成１１年９月９日付けで訂正請求がなされたものである。
２．訂正の適否についての判断
２−（１）．訂正の内容
訂正事項▲１▼：特許請求の範囲の請求項１中の「正逆転可能な第１のモータによって６０秒より短い間隔で運針される分針と、」を「正逆転可能なステップモータによって６０秒より短い間隔で運針される分針と、」と訂正する。
訂正事項▲２▼：特許請求の範囲の請求項１中の「調時スイッチの最初の操作時に上記分針が正分位置以外の位置を指示していたときは、その前後いずれかの正分位置に上記分針を運針し、それ以降の調時スイッチの操作ごとに上記分針を１分ずつ運針する」を「アップキーの最初の操作時に上記分針が正分位置以外の位置を指示していたときは、その後の正分位置に上記分針を運針し、それ以降のアップキーの操作ごとに上記分針を１分ずつ運針し、モード切換えスイッチによって調時モードに切り換えた後、ダウンキーが操作された際は、分針を直前の正分の位置まで逆回転させるモータ駆動パルスを上記ステップモータに出力して分針を正分位置まで運針する」と訂正する。
訂正事項▲３▼：特許明細書段落番号【０００５】内の「正逆転可能な第１のモータによって６０秒より短い間隔で運針される分針と、」を「正逆転可能なステップモータによって６０秒より短い間隔で運針される分針と、」と訂正する。
訂正事項▲４▼：特許明細書段落番号【０００５】内の「調時スイッチの最初の操作時に上記分針が正分位置以外の位置を指示していたときには、その前後いずれかの正分位置に上記分針を運針し、それ以降の調時スイッチの操作ごとに上記分針を１分ずつ運針する」を「アップキーの最初の操作時に上記分針が正分位置以外の位置を指示していたときは、その次の正分位置に上記分針を運針し、それ以降のアップキーの操作ごとに上記分針を１分ずつ運針し、モード切換えスイッチによって調時モードに切り換えた後、ダウンキーが操作された際は、分針を直前の正分の位置まで逆回転させるモータ駆動パルスを上記ステップモータに出力して分針を正分位置まで運針する」と訂正する。
訂正事項▲５▼：特許明細書段落番号【０１２９】内の「調時スイッチ」を「調時スイッチ（アップキー、ダウンキー）」と訂正する。
２−（２）．訂正の目的の適否、拡張・変更の判断
　上記（１）の▲１▼及び▲２▼の訂正は、特許請求の範囲の減縮を目的としたものであって、実質的に特許請求の範囲を拡張又は変更するものでない。
　また、上記（１）の▲３▼乃至▲５▼の訂正は、明りょうでない記載の釈明を目的としたものである。
　そして、上記（１）の▲１▼乃至▲５▼の訂正は、願書に添付した明細書または図面の記載事項の範囲内の訂正と認められる。
２−（３）．独立特許要件
２−（３）−１．訂正明細書に係る発明
　訂正明細書の請求項１及び請求項２に係る発明は、訂正明細書及び図面の記載からみて、その特許請求の範囲に記載された請求項１及び請求項２により特定されるものである。
　【請求項１】　正逆転可能なステップモータによって６０秒より短い間隔で運針される分針と、正逆転可能な第２のモータによって上記分針が所定ステップ運針されるごとに運針される時針とにより現在時刻を表示する時計の調時方法において、モード切換えスイッチによって調時モードに切り換えた後、アップキーの最初の操作時に上記分針が正分位置以外の位置を指示していたときは、その後の正分位置に上記分針を運針し、それ以降のアップキーの操作ごとに上記分針を１分ずつ運針し、モード切換えスイッチによって調時モードに切り換えた後、ダウンキーが操作された際は、分針を直前の正分の位置まで逆転させるモータ駆動パルスを上記ステップモータに出力して分針を正分位置まで運針することを特徴とする時計の調時方法。
　【請求項２】　正逆転可能な第１のモータによって６０秒より短い間隔で運針される分針と、正逆転可能な第２のモータによって上記分針が所定ステップ運針されるごとに運針される時針とにより現在時刻を表示する時計の調時方法において、モード切換えスイッチによって、分調時モードと時調時モードとロックモードとを切り換え、上記時調時モードにおいては、調時スイッチが操作された際、上記分針が正分以外の位置を表示している場合、この分針をその前後いずれかの正分位置に運針するとともに上記時針を分針の表示位置に応じた位置に運針し、それ以降の上記調時スイッチの操作により、上記時針を上記分針の表示位置に応じた所望の位置に運針し、上記分調時モードにおいては、調時スイッチの最初の操作時に上記分針が正分位置以外の位置を指示していたときは、その前後いずれかの正分位置に上記分針を運針し、それ以降の調時スイッチの操作ごとに上記分針を１分ずつ運針することを特徴とする時計の調時方法。
２−（３）−２．取消理由通知における刊行物の記載事項
・刊行物１（特開平５−９３７８４号公報）には、次の事項が記載されている。
（ア）「【産業上の利用分野】本発明は、正転及び逆転可能なパルスモータを複数個用い、時針及び分針を各々個別に前記パルスモータにより駆動するアナログ時計の時計装置に関するものである。」（段落番号【０００１】）
（イ）「【作用】本発明は基準信号に基づいて現時刻を計時して計時した時刻を記憶する現時刻記憶手段と、現時刻記憶手段に記憶された値を指針の表示角度の値に換算した値を記憶する目標位置記憶手段とを有すると共に、分針及び時針の表示位置記憶手段及び表示位置記憶手段に記憶した値と前記目標位置記憶手段に記憶された値とが一致する迄分針及び時針を駆動させる演算駆動手段を有する故、現時刻記憶手段に記憶された数値に基づいて分針及び時針を駆動し、正確に時刻を分針及び時針により表示させることができる。」
（段落番号【０００９】）
（ウ）「更に、本実施例は、目標位置記憶手段７１と表示位置記憶手段７５とを有し、時針及び分針の表示位置を記憶させる表示位置記憶手段７５の記憶内容が目標位置記憶手段７１に記憶させた数値と一致する迄時針用パルスモータ及び分針用パルスモータを駆動する故、時針及び分針を目標位置記憶手段７１に記憶させた数値に基づいて分針及び時針を駆動して時刻を容易に表示させることができる。」（段落番号【００５８】）
（エ）「現時刻記憶手段６１における秒カウンタメモリ６３及び分カウンタメモリ６５の値に基づいて分針用目標メモリ７２に記憶させる１６進数３桁の分針目標値を算出するに際し、秒カウンタが１０秒をカウントする毎に即ち秒カウンタメモリ６３の１０秒を単位として分針用目標メモリ７２の値を１増加させ、分針用目標メモリ７２の数値を０から３５９（１０進数）とし、分カウンタメモリ６５及び時カウンタメモリ６７の値に基づいて時針用目標メモリ７３に記憶する１６ビット３桁の時針目標値を算出するに際し、分カウンタが２分をカウントする毎に即ち分カウンタメモリ６５の２分を単位として時針用目標メモリ７３の値を１増加させ、時針用目標メモリ７３の数値を０から３５９（１０進数）とするものである。」（段落番号【００２０】の３行目乃至１６行目）
（オ）「更に、修正制御手段４９は、修正モードスイッチ３２がオン状態とされた時、時修正スイッチ３５と分修正スイッチ３３とのオン状態を検出し、分修正スイッチ３３が１回オン状態とされる毎に計時手段４３における分カウンタの値を１増加させた後に演算駆動手段４７を作動させるものであり、時修正スイッチ３５がオン状態にされると計時手段４３における時カウンタの値を１増加させた後に演算駆動手段４７を作動させるものである。」（段落番号【００２６】の１行目乃至９行目）
（カ）「先ず、端数処理として現時刻記憶手段６１の秒カウンタメモリ６３が０でない場合は計時手段４３の分カウンタに１を加えて秒カウンタを０とし、」（段落番号【００４６】の６行目乃至８行目）
・刊行物２（特開昭６４−９３９３号公報）には、次の事項が記載されている。
（キ）「通常の電子時計の場合、時刻修正モードに入ると必ず計時用分周段にリセットがかかってしまうため、時差補正を行った際は、他の報時体による正確な時刻（分秒）に合わせ直すか、あるいは時差修正作業を行っていた時間の遅れを容認せざるを得なかった。」（２頁左上欄９行目乃至１４行目）
（ク）「分修正を行った時は秒以下の計時データはリセットされる」（４頁右上欄６乃至７行目）
・刊行物３（実願平３−９７２９７号（実開平５−３８５９３号）のマイクロフィルム）には、次の事項が記載されている。
（ケ）「分修正スイッチの単押し操作により秒カウンタ９２が零となるまでの１分あるいは１分以下の分修正を行い」（段落番号【００１０】２３行目乃至２４行目）
（コ）「時修正スイッチ６の単押しでは時針が１時間分移動する」（段落番号【００１６】４行目）
・刊行物４（特開昭５７−８８３７８号公報）には、次の事項が記載されている。
（サ）「この早送りパルスにより分針位置が正分位置まで早送りされると、６進カウンター１１の値が０にもどるので、キャリー信号が出力され、ＳＲフリップフロップ２０をリセットしＱ２はＬにもどり通過ゲート（１５）を禁止し、６４Ｈｚ信号の出力が止まる。すなわち、プッシュスイッチ（２２）を１回オン・オフすることにより、分針は次の正分位置まで早送りされる。」（２頁右下欄２行目乃至８行目）
２−（３）−３．対比・判断
　取消理由通知の拒絶の対象となった請求項１に係る発明と上記刊行物１乃至４に記載された発明とを対比すると、上記刊行物１乃至４の何れにも、請求項１に係る発明の「モード切換えスイッチによって調時モードに切り換えた後、アップキーの最初の操作時に上記分針が正分位置以外の位置を指示していたときは、その後の正分位置に上記分針を運針し、それ以降のアップキーの操作ごとに上記分針を１分ずつ運針し、モード切換えスイッチによって調時モードに切り換えた後、ダウンキーが操作された際は、分針を直前の正分の位置まで逆転させるモータ駆動パルスを上記ステップモータに出力して分針を正分位置まで運針する」構成が記載されていない。
　この点に関して、刊行物３及び刊行物４には、時刻修正モードで最初の分修正スイッチの操作により、分針を次の正分位置まで運針する事項が記載されているが、いずれも一方向の正分操作であり、請求項１に係る発明のように、アップキー及びダウンキーの操作により正分する方向を変化させる点は示されていない。
　そして、請求項１に係る発明は、上記構成要件を備えることにより、最初の分針の運針が使用者の操作意図と逆らわず、調時し易い正分位置で調時するという効果を奏するものである。
　よって、請求項１に係る発明は刊行物１乃至刊行物４の記載事項から容易に発明をすることができたものとすることができない。
　したがって、本件発明は、特許出願の際独立して特許を受けることができない発明とすることはできない。
２−（４）．むすび
　以上のとおりであるから、上記訂正は、特許法第１２０条の４第２項及び同第３項の規定により準用する特許法第１２６条第２項乃至第４項の規定に適合するので、当該訂正を認める。
３．特許異議申立についての判断
３−（１）．申立ての理由の概要
　▲１▼本件請求項１に係る特許発明は、甲第１号証に記載された発明と甲第２号証に記載された発明に、甲第３号証あるいは甲第４号証または甲第６号証とを組み合わせた者に相当し、その発明の属する技術分野における通常の知識を有するものが容易に発明をすることができたものであり、また、本件請求項２に係る特許発明は、甲第１号証、甲第２号証、甲第５号証及び甲第６号証に記載された発明に基づいて、その発明の属する技術分野における通常の知識を有するものが容易に発明をすることができたものであるから、上記各発明に係る特許はいずれも特許法第２９条２項の規定により特許を受けることができないものである。
　▲２▼本件請求項１及び請求項２に係る発明は、本件明細書の発明の詳細な説明の記載に不備があり、特許法３６条第４項に規定する要件をみたしていないものであるから取り消されるべきものである。
３−（２）．申立ての理由▲１▼について
３−（２）−１．甲各号証の記載事項
・甲第１号証乃至甲第４号証は、それぞれ上記刊行物１乃至刊行物４と同じであり、その記載事項は２−（３）−２で述べたとおりである。
・甲第５号証（特開平２−４０５９０号公報）には、次の事項が記載されている。
（シ）「修正桁選択スイッチと、修正スイッチと、前記修正桁選択スイッチによって時、分の各時間桁を順次選択して夫々の修正信号を出力して修正モードにすると共に分桁修正後の前記修正桁選択スイッチの操作によりセット信号を出力して通常表示モードにする修正手段と、・・・電子時計。」
（特許請求の範囲）
・甲第６号証（実開昭４９−９９２７５号公報の出願時の明細書）には、次の事項が記載されている。
（ス）「次に時の桁の時間設定信号Ａが来た時（Ａ＝１、Ｂ＝０）ＡＧ１、ＡＧ２、ＡＧ４の一方の入力には０が入力されるので遮断されＡＧ３のみ導通して分周回路（１２）の出力を時の桁の計数回路（１５）に印加して時の桁の修正を行う。又分の桁の時間設定信号Ｂが来た時（Ａ＝０、Ｂ＝１）も同様にＡＧ４のみ導通して分の桁の修正を行う。上述した両者の場合にのみＯＧ３の出力１は秒の桁の計数回路（１３）を０に設定するための消去回路を動作させる様に配慮されている。」（７頁４行目乃至１４行目）
３−（２）−２．対比・判断
（請求項１に係る発明）
異議の理由においては、上記取消理由通知の証拠に加えて、甲第６号証がさらに加わったものである。甲第１号証乃至甲第４号証についての対比判断は、２−（３）−３．で述べたとおりであり、さらに付け加えられた甲第６号証にも請求項１に係る発明の構成要件である「モード切換えスイッチによって調時モードに切り換えた後、アップキーの最初の操作時に上記分針が正分位置以外の位置を指示していたときは、その後の正分位置に上記分針を運針し、それ以降のアップキーの操作ごとに上記分針を１分ずつ運針し、モード切換えスイッチによって調時モードに切り換えた後、ダウンキーが操作された際は、分針を直前の正分の位置まで逆転させるモータ駆動パルスを上記ステップモータに出力して分針を正分位置まで運針する」記載はないので、甲第１号証乃至甲第４号証及び甲第６号証から請求項１に係る発明を容易に導き出すことはできない。
（請求項２に係る発明）
　請求項２に係る発明と上記甲第１号証、甲第２号証、甲第５号証及び甲第６号証に記載された発明とを対比すると、請求項２に係る発明の構成要件である「時調時モードにおいては、調時スイッチが操作された際、上記分針が正分以外の位置を表示している場合、この分針をその前後いずれかの正分位置に運針するとともに上記時針を分針の表示位置に応じた位置に運針し、それ以降の上記調時スイッチの操作により、上記時針を上記分針の表示位置に応じた所望の位置に運針し」の構成は、上記各号証の何れにも、記載も示唆もされていない。
　これに関して、甲第５号証には、分調時モードと時調時モードとを切り換える点が記載されているが、時調時モードにおいて、「調時スイッチが操作された際、上記分針が正分以外の位置を表示している場合、この分針をその前後いずれかの正分位置に運針するとともに上記時針を分針の表示位置に応じた位置に運針し、それ以降の上記調時スイッチの操作により、上記時針を上記分針の表示位置に応じた所望の位置に運針」する請求項２に係る発明の構成については何等記載されていない。
　したがって、甲第１号証、甲第２号証、甲第５号証及び甲第６号証記載のものから請求項２に係る発明を容易に導き出すことはできない。
３−（３）．申立ての理由▲２▼について
３−（３）−１．異議申立人の主張
　異議申立人は、請求項１及び請求項２に係る発明において、その効果として「調時モードに切り換えただけでは指針の位置が動かないので、誤ってモード切り換えスイッチを操作して調時モードに切り換えてしまっても、ロックモードに戻せば正確に現在時刻を表示することができる。」と記載しているにもかかわらず、図３におけるステップ３ｋである時計回路の０秒クリアは単に調時モードからロックモードに戻しても、つまり、ステップ３ｂからステップ３ｆを実施しなくても、実行されるものとなっているので、これにより、分針位置と時計回路２の内容がずれることになる」旨主張している。
３−（３）−２．当審の判断
　しかしながら、図３のフローチャートに関する記載として、明細書の【００３８】には「モニタスイッチ２０が操作されてなく、モードスイッチ１４１がセットモード（「タイムセット・時モード」または「タイムセット・分モード」）を指定していると（ステップ２ｋ）、図３に示した調時動作を行なう。」と記載され、また、図３に対応する詳細な説明の中では、調時モードに切り換えたとき、即座にロックモードに戻す行程についての説明は何等されていないので、図３のフローチャートは、調時動作を行うことを前提として、その説明のために使用されているものと考えられる。そして、詳細な説明のなかでは、「調時モードに切り換えただけでは指針の位置が動かないので、誤ってモード切り換えスイッチを操作して調時モードに切り換えてしまっても、ロックモードに戻せば正確に現在時刻を表示することができる。」と記載され、その構成自体は明確であるから、図３のフローチャートの示す矛盾点だけから、発明の詳細な説明が当業者がその実施をすることができる程度に記載されたものではないと判断することはできない。
４．むすび
　以上のとおりであるから、特許異議申立書の理由及び証拠によっては請求項１及び請求項２に係る発明の特許を取り消すことはできない。
　また、他に請求項１及び請求項２に係る発明の特許を取り消すべき理由を発見しない。
　よって、結論のとおりに決定する。
【異議決定日】
平成１１年１１月２２日（１９９９．１１．２２）
【訂正の要旨】
訂正の要旨
訂正事項▲１▼　特許請求の範囲の減縮を目的として、特許請求の範囲の請求項１中の
「正逆転可能な第１のモータによって６０秒より短い間隔で運針される分針と、」を「正逆転可能なステップモータによって６０秒より短い間隔で運針される分針と、」と訂正する。
訂正事項▲２▼　特許請求の範囲の減縮を目的として、特許請求の範囲の請求項１中の
「調時スイッチの最初の操作時に上記分針が正分位置以外の位置を指示していたときは、その前後いずれかの正分位置に上記分針を運針し、それ以降の調時スイッチの操作ごとに上記分針を１分ずつ運針する」を「アップキーの最初の操作時に上記分針が正分位置以外の位置を指示していたときは、その後の正分位置に上記分針を運針し、それ以降のアップキーの操作ごとに上記分針を１分ずつ運針し、モード切換えスイッチによって調時モードに切り換えた後、ダウンキーが操作された際は、分針を直前の正分の位置まで逆回転させるモータ駆動パルスを上記ステップモータに出力して分針を正分位置まで運針する」と訂正する。
訂正事項▲３▼　明りょうでない記載の釈明を目的として、特許明細書段落番号【０００５】内の「正逆転可能な第１のモータによって６０秒より短い間隔で運針される分針と、」を「正逆転可能なステップモータによって６０秒より短い間隔で運針される分針と、」と訂正する。
訂正事項▲４▼　明りょうでない記載の釈明を目的として、特許明細書段落番号【０００５】内の「調時スイッチの最初の操作時に上記分針が正分位置以外の位置を指示していたときには、その前後いずれかの正分位置に上記分針を運針し、それ以降の調時スイッチの操作ごとに上記分針を１分ずつ運針する」を「アップキーの最初の操作時に上記分針が正分位置以外の位置を指示していたときは、その次の正分位置に上記分針を運針し、それ以降のアップキーの操作ごとに上記分針を１分ずつ運針し、モード切換えスイッチによって調時モードに切り換えた後、ダウンキーが操作された際は、分針を直前の正分の位置まで逆回転させるモータ駆動パルスを上記ステップモータに出力して分針を正分位置まで運針する」と訂正する。
訂正事項▲５▼　明りょうでない記載の釈明を目的として、特許明細書段落番号【０１２９】内の「調時スイッチ」を「調時スイッチ（アップキー、ダウンキー）」と訂正する。
（５４）【発明の名称】
時計の調時方法
（５７）【特許請求の範囲】
　　【請求項１】　正逆転可能な
ステップ
　モード切換えスイッチによって調時モードに切り換えた後、
アップキー
その後の
アップキー
　
モード切換えスイッチによって調時モードに切り換えた後、ダウンキーが操作された際は、分針を直前の正分の位置まで逆転させるモータ駆動パルスを上記ステップモータに出力して分針を正分位置まで運針する
ことを特徴とする時計の調時方法。
　　【請求項２】　正逆転可能な第１のモータによって６０秒より短い間隔で運針される分針と、正逆転可能な第２のモータによって上記分針が所定ステップ運針されるごとに運針される時針とにより現在時刻を表示する時計の調時方法において、
　モード切換えスイッチによって、分調時モードと時調時モードとロックモードとを切り換え、
　上記時調時モードにおいては、調時スイッチが操作された際、上記分針が正分以外の位置を表示している場合、この分針をその前後いずれかの正分位置に運針するとともに上記時針を分針の表示位置に応じた位置に運針し、それ以降の上記調時スイッチの操作により、上記時針を上記分針の表示位置に応じた所望の位置に運針し、上記分調時モードにおいては、調時スイッチの最初の操作時に上記分針が正分位置以外の位置を指示していたときは、その前後いずれかの正分位置に上記分針を運針し、それ以降の調時スイッチの操作ごとに上記分針を１分ずつ運針することを特徴とする時計の調時方法。
【発明の詳細な説明】
　　　【０００１】
　　【産業上の利用分野】
　本発明は、時計の調時方法に関するものである。
　　　【０００２】
　　【従来の技術】
　従来、時針と分針とを別々に駆動させて時刻を表示する時計がある。このような時計は、時針と分針とをそれぞれ別々に調時できるので、調時が簡単で調時時間を短くできるという効果を有している。具体的な調時方法は、モードスイッチで調時モードを指定することにより、使用者が調時しやすいように分針を現在の表示位置の前後いずれかの正分位置に運針し、その後調時スイッチを操作して時刻を修正していた。
　　　【０００３】
　　【発明が解決しようとする課題】
　しかしながら、上記のものは調時モードに切り換えた瞬間に分針が正分位置に運針してしまうので、現在時刻を表示しているときに誤ってモードスイッチを調時モードに切り換えてしまうと、これに気づいてすぐにロックーモードに戻しても時刻表示が狂ってしまうという問題点を有していた。
　　　【０００４】
　本発明の目的は、短時間で調時でき、しかも誤操作で時刻が変更しない時計の調時方法を提供することである。
　　　【０００５】
　　【課題を解決するための手段】
　本発明は、正逆転可能な
ステップ
アップキー
後の
アップキー
モード切換えスイッチによって調時モードに切り換えた後、ダウンキーが操作された際は、分針を直前の正分の位置まで逆転させるモータ駆動パルスを上記ステップモータに出力して分針を正分位置まで運針
　　　【０００６】
　さらに、モード切換えスイッチによって、分調時モードと時調時モードとロックモードとを切り換え、上記時調時モードにおいては、調時スイッチが操作された際、上記分針が正分以外の位置を表示している場合、この分針をその前後いずれかの正分位置に運針するとともに上記時針を分針の表示位置に応じた位置に運針し、それ以降の上記調時スイッチの操作により、上記時針を上記分針の表示位置に応じた所望の位置に運針し、上記分調時モードにおいては、調時スイッチの最初の操作時に上記分針が正分位置以外の位置を指示していたときは、その前後いずれかの正分位置に上記分針を運針し、それ以降の調時スイッチの操作ごとに上記分針を１分ずつ運針することにより、上記の目的を達成している。
　　　【０００７】
　　【実施例】
　以下、本発明を図面に示した一実施例に基づいて具体的に説明する。
　　　【０００８】
　図１において、１は基準信号発生回路で、水晶発振器，分周器等からなり、基準クロック信号を発生する。
　　　【０００９】
　２は時計回路で、ＲＡＭ等からなり、基準信号発生回路１が出力する基準クロック信号に基づいて現在時刻を計時する。
　　　【００１０】
　３は制御回路で、ＣＰＵ，ＲＯＭ，ＲＡＭおよびＡ／Ｄ変換回路等からなり、各種の動作を制御する。
　　　【００１１】
　４，５は正逆転可能なステップモータで、制御回路３が出力するモータ駆動パルスを受けて正逆転を行なう。なお、ステップモータ５は第１のモータを構成し、ステップモータ４は第２のモータを構成する。
　　　【００１２】
　６，７は輪列で、ステップモータ４，５の回転をそれぞれ時針８，分針９に伝達する。なお、本例では時針８と分針９とを用いて現在時刻および快適度を表示し、時針８で湿度を、分針９で温度をそれぞれ表示する。
　　　【００１３】
　１０は時針検出回路で、フォトインタラプタ等からなり、時針８と連動して回転する回転板（図示せず。）上に設けた反射板（図示せず。）を検出する。なお、本例では時針８が０：００を表示した際にその反射板を検出できる位置にフォトインタラプタを形成してある。よって、時針検出回路１０は時針８が０：００を表示した際に検出出力を発生する。
　　　【００１４】
　１１は分針検出回路で、上記と同様にフォトインタラプタ等からなり、分針９と連動して回転する回転板（図示せず。）上に設けた反射板（図示せず。）を検出する。なお、本例では分針９が０分を表示した際に、その反射板を検出できる位置にフォトインタラプタを形成してある。よって、分針検出回路１１は分針９が０分を表示した際に検出出力を発生する。
　　　【００１５】
　１２は時針位置カウンタで、アップダウンカウンタからなり、制御回路３が時針８を運針させるためにステップモータ４へ出力するモータ駆動パルスをカウントして、時針８の表示位置を指示する。なお、時針検出回路１０が発生する検出出力によりリセットされる。
　　　【００１６】
　１３は分針位置カウンタで、上記と同様にアップダウンカウンタからなり、制御回路３が分針９を運針させるためにステップモータ５へ出力するモータ駆動パルスをカウントして、分針９の表示位置を指示する。なお、分針検出回路１１が発生する検出出力によりリセットされる。
　　　【００１７】
　１４は入力部で、「タイムセットー時モード」（時調時モード），「タイムセットー分モード」（分調時モード），「ロックー時刻モード」，「ロックー温湿度モード」を選択するモード切換えスイッチ１４１と調時スイッチを構成するアップキー１４２およびダウンキー１４３等からなる。なお、本例では、「タイムセットー時モード」と「タイムセットー分モード」とをセットモード（調時モード）とし、「ロックー時刻モード」と「ロックー温湿度モード」とをロックモードとする。また、モード切換えスイッチ１４１が切り換わった際、１パルスのモード変化信号が発生する。
　　　【００１８】
　１５は温度センサブロックで、温度センサ等からなり、周囲の温度に応じた検出データを出力する。
　　　【００１９】
　１６は湿度センサブロックで、湿度センサ等からなり、周囲の湿度に応じた検出データを出力する。
　　　【００２０】
　１７は温度データ記憶回路で、Ａ／Ｄ変換回路およびＲＯＭ等からなり、温度センサブロック１５から出力される検出データに応じた温度データを記憶してある。
　　　【００２１】
　１８は湿度データ記憶回路で、Ａ／Ｄ変換回路およびＲＯＭ等からなり、湿度センサブロック１６から出力される検出データに応じた湿度データを記憶してある。
　　　【００２２】
　１９は定電圧ブロックで、各回路に定電圧を供給する。
　　　【００２３】
　２０はモニタスイッチである。
　　　【００２４】
　２１は一時的な表示切換えの際に用いられる時刻記憶回路で、ＲＡＭ等からなる。
　　　【００２５】
　２２は表示部で、時針８と分針９とにより、現在時刻，温度，湿度、快適度を選択的に表示する。
　　　【００２６】
　次に、電源投入時の動作を説明する。
　　　【００２７】
　電源が投入されると、制御回路３は時針検出回路１０と分針検出回路１１とがそれぞれ検出出力を発生するまで、すなわち時針８と分針９とで０：００を表示するまで、ステップモータ４，５を一定方向に動作させる。
　　　【００２８】
　時針８と分針９とで０：００を表示すると、時針検出回路１０と分針検出回路１１とがそれぞれ検出出力を発生し、時針位置カウンタ１２および分針位置カウンタ１３をそれぞれ“０”にリセットする。すなわち、時針８の表示位置と時針位置カウンタ１２の指示出力および分針９の表示位置と分針位置カウンタ１３の指示出力とを合わせ込む。一方、時針検出回路１０と分針検出回路１１の双方から検出出力が発生すると、制御回路３は時計回路２の計時時刻を０：００にリセットして計時を開始させる。よって、時針８と分針９による表示時刻と時計回路２の計時時刻とが合わせ込まれる。その後、制御回路３は時計回路２の計時時刻に応じて時針８と分針９とを運針する。なお、本例では時針８は３分ごとに３分進み、分針９は１５秒ごとに１５秒進むように構成してある。
　　　【００２９】
　次に、図２，３，４，５を参照して動作を説明する。
　　　【００３０】
　制御回路３は、時計回路２の秒の値が０秒であると、すなわち１分経過ごとに（ステップ２ａ）、測定要求フラグを“１”にセットする（ステップ２ｂ）。これは、１分ごとに温度と湿度の測定を行なえるようにするためである。
　　　【００３１】
　そして、時計回路２の秒の値が０秒，１５秒，３０秒，４５秒で（ステップ２ｃ）、現在時刻を表示していて通常運針フラグが“１”にセットしてある場合（ステップ２ｄ）、すなわちモードが「タイムセットー時モード」，「タイムセットー分モード」であるときはアップキー１４２またはダウンキー１４３が操作されない場合、または「ロックー時刻モード」にセットされている場合、制御回路３は分針位置カウンタ１３にカウントアップ指定信号を出力してカウントアップ状態にするとともに、ステップモータ５にモータ駆動パルスを出力して分針９を１５秒分運針する（ステップ２ｅ）。この時、分針位置カウンタ１３は制御回路３がステップモータ５に出力するモータ駆動パルスをカウントしてカウント値に＋１する（ステップ２ｆ）。
　　　【００３２】
　なお、本例では、制御回路３が時針８，分針９を時計回り方向に運針させるモータ駆動パルスを出力する際は、時針位置カウンタ１２，分針位置カウンタ１３にカウントアップ指定信号を出力し、時針８，分針９を反時計回り方向に運針させるモータ駆動パルスを出力する際は、時針位置カウンタ１２，分針位置カウンタ１３にカウントダウン指定信号を出力する。
　　　【００３３】
　また、通常運針フラグは、現在時刻を表示する運針を許可するためのフラグであり、通常運針フラグが“１”の場合、現在時刻を表示する運針を行なう。
　　　【００３４】
　次に制御回路３は、時計回路２の分の値が３分を計時するごとに（ステップ２ｇ）時針位置カウンタ１２にカウントアップ指定信号を出力してカウントアップ状態にするとともに、ステップモータ４にモータ駆動パルスを出力し、時針８を３分だけ運針する（ステップ２ｈ）。この時、時針位置カウンタ１２は、制御回路３がステップモータ４に出力するモータ駆動パルスをカウントしてカウント値に＋１する（ステップ２ｉ）。
　　　【００３５】
　この３分の計時は、以下の通り実行する。制御回路３が時計回路２の時刻データを読み出し、読み出した時刻データに３分を加算した時刻データを制御回路３内のＲＡＭに記憶し、この時刻データと時計回路２で計時する時刻データとの一致を検出することによって行ない、一致が検出されると、上記と同様に時計回路２から時刻データを読み出し、これに３分を加算して新たに制御回路３内のＲＡＭに記憶し、時計回路２の時刻データと比較することにより、３分ごとの計時を行なう。
　　　【００３６】
　なお、ステップ２ｄにおいて、通常運針フラグが“０”で現在時刻を表示していない場合は、上記の時刻運針は行なわない。この場合、時計回路２の計時は続行する。
　　　【００３７】
　続いて、制御回路３はモニタスイッチ２０がオンされているか判断し（ステップ２ｊ）、オン状態であれば図５，６に示したデモンストレーション動作（以下、デモ動作と呼ぶ。）を行なう。
　　　【００３８】
　モニタスイッチ２０が操作されてなく、モードスイッチ１４１がセットモード（「タイムセットー時モード」または「タイムセットー分モード」）を指定していると（ステップ２ｋ）、図３に示した調時動作を行なう。
　　　【００３９】
　モニタスイッチ２０が操作されてなく、モードスイッチ１４１がセットモードを指定していないと（ステップ２ｊ，２ｋ）、つまりロックモードを指定していると、図４に示したＡ以降の動作を行なう。
　　　【００４０】
　次に、図３を参照して調時動作を説明する。
　　　【００４１】
　アップキー１４２またはダウンキー１４３が操作されると（ステップ３ａ）、制御回路３は通常運針フラグをリセットして“０”にして、現在時刻を表示する運針を停止するとともに（ステップ３ｂ）、時計回路２による計時動作を停止する。
　　　【００４２】
　そして、モードスイッチ１４１により「タイムセットー時モード」が設定されている場合（ステップ３ｃ）、制御回路３はアップキー１４２が操作された際はカウントアップ指定信号を、ダウンキー１４３が操作された際はカウントダウン指定信号を時針位置カウンタ１２に出力してカウントのアップ／ダウンを指定するとともに、アップキー１４２が操作された際は、時針８を１時間だけ正回転（本例では、時計回り方向とする。）させるモータ駆動パルスをステップモータ４に出力し、ダウンキー１４３が操作された際は、時針８を１時間だけ逆回転（本例では、反時計回り方向とする。）させるモータ駆動パルスをステップモータ４に出力して時針８を１時間運針する（ステップ３ｄ）。
　　　【００４３】
　このとき、時針位置カウンタ１２はステップモータ４に入力するモータ駆動パルスをカウントするので、時針８の表示時刻に応じたカウント値を有するようになる。
　　　【００４４】
　そして、制御回路３は、時計回路２内の時の値を時針位置カウンタ１２のカウント値に一致させる。したがって、時針８の表示時刻と時計回路２内の時の値との一致が取れる。
　　　【００４５】
　このとき、分針９の表示位置が正分位置でないと（ステップ３ｅ）、分針９を最も近い正分位置まで通常の運針とは逆方向に運針し秒の桁を切捨てる（ステップ３ｆ）。これはゼロ秒スタートさせるために秒を切り捨てるものである。これにより、調時する時刻が正分となり、使用者にとってわかりやすい正確な調時を行なうことができる。
　　　【００４６】
　そして、モードスイッチ１４１が「ロックー時刻モード」に変更されていないと（ステップ３ｇ）、ステップ３ａに戻り、上記と同様の動作を行ない、アップキー１４２またはダウンキー１４３の操作ごとに時針８を±１時間ずつ運針させて、所望の時位置に合わせ込む。
　　　【００４７】
　ステップ３ｃにおいて、「タイムセットー分モード」に設定されていると、制御回路３は、アップキー１４２が操作された際はカウントアップ指定信号を、ダウンキー１４３が操作された際はカウントダウン指定信号を分針位置カウンタ１３と時針位置カウンタ１２に出力してカウントのアップ／ダウンを指定する。そして、アップキー１４２が操作された際は、分針９を次の正分の位置まで正回転させるモータ駆動パルスをステップモータ５に出力し、ダウンキー１４３が操作された際は、分針９を直前の正分の位置まで逆回転させるモータ駆動パルスをステップモータ５に出力して分針９を正分位置まで運針する（ステップ３ｈ）。
　　　【００４８】
　このとき、分針位置カウンタ１３はステップモータ５に入力するモータ駆動パルスをカウントするので、分針９の表示時刻に応じたカウント値を有するようになる。
　　　【００４９】
　そして制御回路３は、時計回路２内の分の値を分針位置カウンタ１３のカウント値に一致させる。したがって、分針８の表示時刻と時計回路２内の分の値との一致が取れる。
　　　【００５０】
　さらに、制御回路３は分針９の表示位置に応じた表示位置に、時針８を運針する。
　　　【００５１】
　具体的には、分針位置カウンタ１３のカウント値に応じて上記のように時針８を運針する。この動作は公知の技術なので詳述しない。これにより、分針９と時針８との表示位置は整合がとれ、時計回路２内の分の値と時の値の一致も取れる（ステップ３ｉ）。
　　　【００５２】
　上記のステップ３ａ〜３ｇを繰り返すことにより、調時が行なわれる。
　　　【００５３】
　調時が終了すると、モードスイッチ１４１を「ロックー時刻モード」に設定することにより、制御回路３は通常運針フラグを“１”にセットして現在時刻の運針を許可し（ステップ３ｊ）、時計回路２の秒の値を０秒にクリアし、時計回路２に計時を開始させて図２のＢに移る（ステップ３ｋ）。
　　　【００５４】
　よって、モードが「ロックー時刻モード」に設定されていると、通常運針フラグが“１”にセットしてあるので、時計回路２が１５秒計時するごとに分針９は１５秒だけ運針し、３分計時するごとに時針８が３分だけ運針する。
　　　【００５５】
　次に、図４を参照して図２のＡ以降の動作を説明する。
　　　【００５６】
　まず最初に、モードが「ロックー時刻モード」に切り換わった場合の動作を説明する。この場合、一旦０：００を表示し、現在時刻の表示に切り換える。
　　　【００５７】
　具体的に説明すると、入力部１４からモード変化信号が入力するので、制御回路３はモードが変化したと判断して（ステップ４ａ）、測定要求フラグを“１”にセットし（ステップ４ｂ）、通常運針フラグをリセットして“０”にして通常運針を禁止して（ステップ４ｃ）、時針８と分針９とで０：００を表示させる運針を開始する（ステップ４ｄ）。
　　　【００５８】
　具体的には、時針８は時針検出回路１０が検出出力を発生するまで、分針９は分針検出回路１１が検出出力を発生するまで、ステップモータ４，５にモータ駆動パルスを出力してそれぞれ運針し（ステップ４ｅ，４ｆ）、０：００を表示させる。
　　　【００５９】
　ステップ４ｅ，４ｆにより、時針８が０：００を表示すると、時針検出回路１０が発生する検出出力により、時針位置カウンタ１２がリセットされ、時針８の表示位置と時針位置カウンタ１２のカウント値が合わせ込まれる。そして、分針９が０分を表示すると、分針検出回路１１が発生する検出出力により、分針位置カウンタ１３がリセットされ、上記と同様に分針９と分針位置カウンタ１３のカウント値が合わせ込まれる（ステップ４ｇ）。
　　　【００６０】
　時針８と分針９とで０：００が表示され、時針位置カウンタ１２と分針位置カウンタ１３とがリセットされると、モードが「ロックー時刻モード」なので（ステップ４ｈ）、測定要求フラグをリセットして“０”にし（ステップ４ｉ）、通常運針フラグを“１”にセットして通常の時刻運針を許可し（ステップ４ｊ）、上記と同様に時計回路２の分と時との値と時針位置カウンタ１２および分針位置カウンタ１３のカウント値が一致するまで、ステップモータ４とステップモータ５とにそれぞれモータ駆動パルスを出力し、時針８と分針９とを運針させる。すなわち、時針８と分針９とで現在時刻を表示させる（ステップ４ｋ）。以下、図２のＢに移り、上記と同様の動作を行なう。
　　　【００６１】
　モードが「ロックー時刻モード」に保持されている場合は、１５秒ごとに分針９を運針し、３分経過するごとに時針８を運針する。
　　　【００６２】
　次に、モードが「ロックー温湿度モード」に切り換わった場合の動作を説明する。
　　　【００６３】
　この場合、上記と同様に動作して一旦０：００を表示した後（ステップ４ｈ）、温度湿度の表示に切り換える。
　　　【００６４】
　そして、通常運針フラグをリセットして“０”にして現在時刻表示の運針を禁止する（ステップ４ｍ）。
　　　【００６５】
　いまの場合、ステップ４ｂで測定要求フラグが“１”にセットされているので（ステップ４ｎ）、温度センサブロック１５と湿度センサブロック１６とを動作させ、温度，湿度に応じた検出データをそれぞれ出力させ、温度データ記憶回路１７および湿度データ記憶回路１８とから、この検出データに応じた温度データおよび湿度データを制御回路３に入力させる（ステップ４ｐ）。
　　　【００６６】
　制御回路３は入力した温度データと湿度データとから周知の不快指数を演算して求め、制御回路３内のＲＡＭに記憶する（ステップ４ｑ）。
　　　【００６７】
　温度，湿度を測定したので、測定要求フラグをリセットして“０”にし（ステップ４ｒ）、入力する温度データと湿度データに応じた時針８の表示位置データ（湿度の表示データ）と分針９の表示位置データ（温度の表示データ）とを演算して求めて、制御回路３内のＲＡＭに記憶する。
　　　【００６８】
　続いて、時針位置カウンタ１２のカウント値がＲＡＭに記憶した時針８の表示位置データ（湿度の表示データ）に一致しているか判断し、一致していなければ、ステップモータ４にモータ駆動パルスを出力して時針８を運針するとともに時針位置カウンタ１２のカウント値を変更する。以下、上記と同様に時針位置カウンタ１２のカウント値と時針８の表示位置データ（湿度の表示データ）とを比較する。
　　　【００６９】
　時針位置カウンタ１２のカウント値と時針８の表示位置データ（湿度の表示データ）とが一致すると、制御回路３は時針８が測定した湿度に対応した表示位置に到達したと判断して、ステップモータ４へのモータ駆動パルスの出力を停止する。
　　　【００７０】
　さらに、上記の時針８の運針と同期して分針９により温度を表示させる。具体的には、上記と同様に制御回路３内のＲＡＭに記憶した分針９の表示位置データ（温度の表示データ）と分針位置カウンタ１３のカウント値が一致するまでステップモータ５にモータ駆動パルスを出力して分針９を運針し、測定した温度に対応した表示を行なわせる（ステップ４ｓ）。以下、図２のＢに移り、上記と同様の動作を行なう。なお、この場合、通常運針フラグが“０”なので、時針８，分針９により現在時刻表示の運針は行なわず、温度，湿度を表示する。
　　　【００７１】
　モードが「ロックー温湿度モード」に保持されている場合は、１分経過するごとに測定要求フラグがセットされるので、１分経過するごとに温度と湿度を測定して表示するとともに快適度を計算する。
　　　【００７２】
　このように、共通の指針により現在時刻と温度，湿度とを選択的に表示するので、部品点数を少なくでき、コストを下げることができる。
　　　【００７３】
　次に、デモ動作を図５，６を参照して説明する。
　　　【００７４】
　本例では、「ロックー時刻モード」の際に、すなわち現在時刻を表示している際（図７参照。）にモニタスイッチ２０が操作されると、一旦０：００を表示し、その後１０秒の間温度と湿度を表示し（図８参照。）、再び０：００を表示して、次に快適度を７秒間表示し（図９参照。）、もう一度０：００を表示した後に現在時刻の表示（図７参照。）に戻るデモ動作を行ない、「ロックー温湿度モード」の際にモニタスイッチ２０が操作されると、上記と同様に一旦０：００を表示し、次に快適度を７秒表示し（図９参照。）、再び０：００を表示して、その後現在時刻を１０秒間表示して（図７参照。）、もう一度０：００を表示した後に温度と湿度の表示（図８参照。）に戻るデモ動作を行なうものとする。
　　　【００７５】
　なお、図７〜９は、表示部２２の表示態様を示したもので、図７は現在時刻を、図８は温度と湿度を、図９は快適度を表示している例を示した図である。
　　　【００７６】
　デモ動作に入ると、制御回路３はモードスイッチ１４１がロックモードであるか判断し（ステップ５ａ）、ロックモードでないと図２のＢの動作に移る。すなわち、セットモードでモニタスイッチ２０が操作されても、デモ動作は行なわないものである。
　　　【００７７】
　ロックモードであると通常運針フラグをリセットして“０”にして通常運針を停止し（ステップ５ｂ）、上記と同様に０：００を表示させ、時針位置カウンタ１２と分針位置カウンタ１３とをリセットする（ステップ５ｃ，５ｄ，５ｅ，５ｆ）。
　　　【００７８】
　時針８と分針９とで０：００を表示し、時針位置カウンタ１２と分針位置カウンタ１３とがリセットされると、制御回路３は上記と同様に温度センサブロック１５と湿度センサブロック１６とを動作させ、温度および湿度に応じた検出データを出力させ、温度データ記憶回路１７と湿度データ記憶回路１８とから、この検出データに応じた温度データおよび湿度データが制御回路３に入力する（ステップ５ｇ）。
　　　【００７９】
　制御回路３は、入力する温度データと湿度データから上記と同様に快適度を計算し、求めた快適度データをその内のＲＡＭに記憶し（ステップ５ｈ）、そして入力する温度データと湿度データに応じた時針８の表示位置データ（湿度の表示データ）と分針９の表示位置データ（温度の表示データ）とを演算して求めて、その内のＲＡＭに記憶する。
　　　【００８０】
　ここで「ロックー時刻モード」であると（ステップ５ｉ）、表示を切り換えて時針８で湿度を、分針９で温度を表示する（ステップ５ｊ，５ｋ）。なお、この場合の時針８と分針９の運針は、上記と同様に制御回路３内のＲＡＭに記憶した時針８の表示位置データ（湿度の表示データ）と分針９の表示位置データ（温度の表示データ）に時針位置カウンタ１２のカウント値および分針位置カウンタ１３のカウント値が一致するまで行なう。
　　　【００８１】
　時針８と分針９により温度と湿度が表示されると、制御回路３は時計回路２が計時している現在時刻データを読み出し、読み出した時刻データに１０秒を加算した時刻データを時刻記憶回路２１に記憶する（ステップ５ｍ）。
　　　【００８２】
　制御回路３は、時計回路２の計時時刻と時刻記憶回路２１に記憶した時刻を比較し一致を検出すると、すなわち時針８と分針９により温度と湿度の表示が行なわれてから１０秒が経過すると（ステップ５ｎ）、制御回路３は上記と同様に時針８と分針９とで０：００を表示させ、時針位置カウンタ１２と分針位置カウンタ１３とをリセットする。これにより、時針８の表示位置と時針位置カウンタ１２のカウント値、分針９の表示位置と分針位置カウンタ１３のカウント値とが合わせ込まれる（ステップ５ｐ，５ｑ，５ｒ，５ｓ）。以下、図６のＣ以降の動作を行なう。よって、図６を参照してＣ以降の動作を説明する。
　　　【００８３】
　０：００を表示して時針位置カウンタ１２と分針位置カウンタ１３がリセットされると、制御回路３はその内のＲＡＭに記憶してある快適度データを時針８と分針９とが重なって表示するようにステップモータ４，５にモータ駆動パルスを出力する（ステップ６ａ）。
　　　【００８４】
　このように１ケ所の位置を表示する場合、時針８と分針９とを重ねて表示を行なうので、表示状態を正確に確認することができる。
　　　【００８５】
　この運針は、快適度データに応じた値を時針位置カウンタ１２と分針位置カウンタ１３がカウントするまで実行する。
　　　【００８６】
　快適度を表示すると（ステップ６ｂ）、制御回路３は上記と同様に時計回路２が計時している現在時刻データを読み出し、読み出した時刻データに７秒を加算した時刻データを時刻記憶回路２１に記憶する（ステップ６ｃ）。このとき、時刻記憶回路２１は以前に記憶していた時刻データをクリヤした後に、７秒を加算した時刻データを記憶する。
　　　【００８７】
　制御回路３は、時計回路２の計時時刻と時刻記憶回路２１に記憶した時刻を比較し一致を検出すると、すなわち時針８と分針９により快適度の表示が行なわれてから７秒が経過すると（ステップ６ｄ）、上記と同様に時針８と分針９とで０：００を表示させた後（ステップ６ｅ，６ｆ，６ｇ，６ｈ）、制御回路３は時計回路２の時の値に時針位置カウンタ１２のカウント値が一致するまでステップモータ４にモータ駆動パルスを出力するとともに、時計回路２の分の値に分針位置カウンタ１３のカウント値が一致するまでステップモータ５にモータ駆動パルスを出力する（ステップ６ｉ）。
　　　【００８８】
　時針位置カウンタ１２と分針位置カウンタ１３のカウント値が時計回路２の時と分の値と一致すると（ステップ６ｊ）、制御回路３は時針８と分針９により現在時刻が表示されたと判断して、通常運針フラグを“１”にセットして図２のＢに戻って上記と同様の動作を行なう（ステップ６ｋ）。
　　　【００８９】
　この場合、通常運針フラグが“１”となるので、分針９は１５秒ごとに、時針８は３分ごとに運針する。
　　　【００９０】
　このように、現在時刻表示に戻る前に、０：００を表示して時針位置カウンタ１２，分針位置カウンタ１３のカウント値と時針８，分針９の表示位置を合わせ込むので、正確に現在時刻を表示できる。
　　　【００９１】
　図５に戻って、「ロックー温湿度モード」であると（ステップ５ｉ）、時針８と分針９を重ねて上記と同様に快適度を表示させる（ステップ５ｔ）。
　　　【００９２】
　快適度が表示されると（ステップ５ｕ）、上記と同様に現在時刻に７秒を加えた時刻データを時刻記憶回路２１に記憶させ（ステップ５ｖ）、この記憶した時刻データと時計回路２の時刻データが一致すると、すなわち快適度を表示してから７秒が経過すると（ステップ５ｗ）、０：００の表示を行なう（ステップ５ｘ，５ｙ，５ｚ，５α）。
　　　【００９３】
　以下、図６のＤ以降の動作を行なう。よって、図６を参照してＤ以降の動作を説明する。
　　　【００９４】
　制御回路３は、上記と同様にして時計回路２が計時している現在時刻を時針８と分針９とで表示させ（ステップ６ｍ）、現在時刻の表示位置に時針８と分針９とが運針されると（ステップ６ｎ）、上記と同様に時計回路２の計時データを読み出して、読み出した時刻データに１０秒を加算して時刻記憶回路２１に記憶させる（ステップ６ｐ）。
　　　【００９５】
　それから、上記と同様に時計回路２の時刻データと時刻記憶回路２１で記憶した時刻データとを比較し一致を検出すると、すなわち現在時刻を表示してから１０秒経過すると（ステップ６ｑ）、再び０：００を表示させ（ステップ６ｒ，６ｓ，６ｔ，６ｕ）、上記と同様に時針８により湿度を分針９により温度を表示させ（ステップ６ｖ）、正確な表示が行なわれると（ステップ６ｗ）、図２のＢに戻り、上記と同様の動作を行なう。この場合、通常運針フラグが“０”なので、分針９の１５秒ごとの運針も時針８の３分ごとの運針も行なわず、温度と湿度が表示される。
　　　【００９６】
　この場合も、温度，湿度の表示を行なう前に時針８，分針９の表示位置と時針位置カウンタ１２，分針位置カウンタ１３のカウント値を合わせ込むので、正確に温度と湿度を表示できる。
　　　【００９７】
　このように、時針８と分針９とで現在時刻と温度，湿度，快適度を表示するので、１つの表示スペースで複数の表示を行なうことができるので、表示スペースを小さくでき、時計全体の大きさに制限を与えることがなくなる。
　　　【００９８】
　また、時針８で湿度を分針９で温度を同時に表示するので、使用者は異なる２つの情報を一度に認識することができる。
　　　【００９９】
　また、モニタスイッチを操作することにより、現在表示している情報と異なる情報を所望時間の間表示するので、パフォーマンスに優れ、使用者にとって運針を楽しみながら、温度，湿度，現在時刻，快適度を確認することができる。
　　　【０１００】
　しかも、表示を切り換える際に、時針８と分針９の実際の表示位置と、時針位置カウンタ１２，分針位置カウンタ１３のカウント値を一致させるので、それぞれのカウンタのカウンタ値の制御で、時針８，分針９を所望の表示位置に運針できる。よって、表示を切り換えた際にもパルス抜け等による誤表示を防ぐことができる。
　　　【０１０１】
　また、快適度のみを表示する場合、時針８と分針９とを重ねて表示するので、表示内容を確認しやすくなる。
　　　【０１０２】
　上記では、現在時刻と温度，湿度とを切り換えて表示する例を示したが、次に現在時刻と天気予報，気圧とを切り換えて表示する例を説明する。
　　　【０１０３】
　図１０において、１４４はモードスイッチで、「タイムセットー時モード」，「タイムセットー分モード」，「ロックー時刻モード」，「ロックー天気モード」を選択する。２３は気圧センサである。２４は気圧データ記憶回路で、Ａ／Ｄ変換回路およびＲＯＭ等からなり、気圧センサ２３から出力される検出データに応じた気圧データを記憶してある。２５は表示部で、時針８と分針９とで現在時刻，天気予報，気圧を選択的に表示する。なお、図１と同一番号のものは同一のものとする。
　　　【０１０４】
　次に、図１１を参照して動作を説明する。なお、電源投入時の動作および調時動作は上記の実施例と同様である。
　　　【０１０５】
　電源が投入され、上記と同様の動作を行なった後、制御回路３は時計回路２が計時する現在時刻データを読み出し、読み出した時刻データに１０分を加算したデータを制御回路３内のＲＡＭに記憶する。
　　　【０１０６】
　時計回路２の計時時刻データが制御回路３内のＲＡＭに記憶した時刻データと一致すると、すなわち１０分経過すると（ステップ１１ａ）、気圧センサ２３を動作させる。気圧センサ２３は気圧に応じた検出データを出力し、この検出データに基づいて気圧データ記憶回路２４から気圧データが読み出され、制御回路３に入力する（ステップ１１ｂ）。
　　　【０１０７】
　制御回路３は入力する気圧データに応じた時針８の表示位置データ（気圧の表示データ）を演算してその内のＲＡＭに記憶するとともに、入力する気圧データから天気予報データ（分針９の表示位置データ）を演算して求め、上記と同様にＲＡＭに記憶する（ステップ１１ｃ）。なお、天気予報データは過去の気圧データの推移から例えば８時間後の天気を予報するものである。
　　　【０１０８】
　なお、制御回路３は時刻の一致を検出すると、上記と同様に時計回路２から現在時刻データを読み出し、これに１０分を加算した時刻データを新たに制御回路３内のＲＡＭに記憶する。すなわち、１０分経過するごとに制御回路３は時刻データの一致を検出し気圧を測定する。
　　　【０１０９】
　上記と同様に通常運針フラグが“１”にセットしてある場合、１５秒ごとに分針９を運針し、３分ごとに時針８を運針する。
　　　【０１１０】
　ここで、モニタスイッチ２０がオンされていると（ステップ１１ｋ）、図１３に示したデモ動作を行なう。
　　　【０１１１】
　モニタスイッチ２０が操作されてなく、モードスイッチ１４４がセットモード（「タイムセットー時モード」または「タイムセットー分モード」）を指定していると（ステップ１１ｍ）、図３に示した調時動作を上記と同様に行なう。
　　　【０１１２】
　モニタスイッチ２０が操作されてなく、モードスイッチ１４４がセットモードを指定していないと（ステップ１１ｋ，１１ｍ）、つまりロックモードを指定していると、図１２に示したＥ以降の動作を行なう。
　　　【０１１３】
　次に、図１２を参照して図１１のＥ以降の動作を説明する。
　　　【０１１４】
　モードが「ロックー時刻モード」に切り換わった際の動作および「ロック時刻モード」に保持されている際の動作は、上記の実施例と同様である。
　　　【０１１５】
　モードが「ロックー天気モード」に切り換わった際の動作は、一旦０：００を表示し、上記と同様に通常運針を禁止して（ステップ１２ｊ）時針８と分針９により天気予報と気圧を表示させる。
　　　【０１１６】
　天気予報と気圧の具体的な表示方法は、制御回路３内のＲＡＭに記憶してある時針８の表示位置データに時針位置カウンタ１２のカウント値が一致するまで時針８を運針して気圧を表示させ、この動作と同時に制御回路３内のＲＡＭに記憶してある分針９の表示位置データに分針位置カウンタ１３のカウント値が一致するまで分針９を運針して天気予報を表示させる。
　　　【０１１７】
　モードが「ロックー天気モード」に保持されている場合、１０分経過するごとに天気予報表示と気圧表示が更新する。
　　　【０１１８】
　次に、図１３を参照してデモ動作を説明する。
　　　【０１１９】
　なお、本例では、「ロックー時刻モード」の際に、すなわち現在時刻を表示している際（図１４参照。）にモニタスイッチ２０が操作されると、一旦０：００を表示し、その後１０秒の間天気予報と気圧を表示し（図１５参照。）、再び０：００を表示して、現在時刻の表示（図１４参照。）に戻るデモ動作を行ない、「ロックー天気モード」の際にモニタスイッチ２０が操作されると、上記と同様に一旦０：００を表示し、その後現在時刻を１０秒間表示して（図１４参照。）、再び０：００を表示して天気予報と気圧の表示（図１５参照。）に戻るデモ動作を行なうものとする。
　　　【０１２０】
　なお、図１４，１５は、表示部２５の表示態様を示したもので、図１４は現在時刻を、図１５は気圧と天気予報はを表示している例を示した図である。
　　　【０１２１】
　モニタスイッチ２０が操作された際にセットモードだと図１１のＦに戻り、上記と同様の動作を行ない、ロックモードであると、制御回路３は時針８と分針９とにより０：００を表示させ、時針位置カウンタ１２および分針位置カウンタ１３とをリセットする（ステップ１３ａ，１３ｂ，１３ｃ，１３ｄ，１３ｅ，１３ｆ）。
　　　【０１２２】
　ここで「ロックー時刻モード」であると（ステップ１３ｇ）、時針８で気圧を、分針９で天気予報を表示する（ステップ１３ｈ，１３ｉ）。なお、この場合の時針８と分針９の運針は、上記と同様である。
　　　【０１２３】
　時針８と分針９により気圧と天気予報が表示されてから１０秒が経過すると（ステップ１３ｋ）、再び時針８と分針９とを０：００に運針し（ステップ１３ｍ，１３ｎ，１３ｐ）、運針が完了すると（ステップ１３ｑ，１３ｒ）、現在時刻の表示に戻る（ステップ１３ｓ，１３ｔ）。
　　　【０１２４】
　「ロックー天気モード」であると、０：００を表示した後、時針８と分針９とで現在時刻を１０秒間表示させ、その後０：００を表示させた後、気圧と天気予報の表示に戻る（ステップ１３ｕ，１３ｖ，１３ｗ，１３ｘ，１３ｙ，１３ｚ，１３α，１３β，１３γ，１３δ）。
　　　【０１２５】
　このように、時針８と分針９とで現在時刻と天気予報，気圧を表示するので、１つの表示スペースで複数の表示を行なうことができるので、表示スペースを小さくでき、時計全体の大きさに制限を与えることがなくなる。
　　　【０１２６】
　また、時針８で気圧を分針９で天気予報を同時に表示するので、使用者は異なる２つの情報を一度に認識することができる。
　　　【０１２７】
　また、モニタスイッチを操作することにより、現在表示している情報と異なる情報を所望時間の間表示するので、パフォーマンスに優れ、使用者にとって運針を楽しみながら、気圧，現在時刻，天気予報を確認することができる。
　　　【０１２８】
　しかも、表示を切り換える際に、上記実施例と同様に時針８と分針９の実際の表示位置と、時針位置カウンタ１２，分針位置カウンタ１３のカウント値を一致させるので、それぞれのカウンタのカウンタ値の制御で、時針８，分針９を所望の表示位置に運針できる。よって、表示を切り換えた際にもパルス抜け等による誤表示を防ぐことができる。
　　　【０１２９】
　　【発明の効果】
　本発明によれば、調時モードに切り換えただけでは指針の位置が動かないので、誤ってモード切換えスイッチを操作して調時モードに切り換えてしまっても、ロックモードに戻せば正確に現在時刻を表示することができる。しかも、調時モードで調時スイッチ（アップキー、ダウンキー）を操作した場合には分針が正分位置に運針するので、使用者は調時し易い正分位置で調時することができる。
【図面の簡単な説明】
　　【図１】
　本発明の一実施例を示したブロック回路図。
　　【図２】
　図１の動作説明のためのフローチャート。
　　【図３】
　図１の動作説明のためのフローチャート。
　　【図４】
　図１の動作説明のためのフローチャート。
　　【図５】
　図１の動作説明のためのフローチャート。
　　【図６】
　図１の動作説明のためのフローチャート。
　　【図７】
　図１の表示部の一表示態様を示した説明図。
　　【図８】
　図１の表示部の他の表示態様を示した説明図。
　　【図９】
　図１の表示部の他の表示態様を示した説明図。
　　【図１０】
　本発明の他の実施例を示したブロック回路図。
　　【図１１】
　図１０の動作説明のためのフローチャート。
　　【図１２】
　図１０の動作説明のためのフローチャート。
　　【図１３】
　図１０の動作説明のためのフローチャート。
　　【図１４】
　図１０の表示部の一表示態様を示した説明図。
　　【図１５】
　図１０の表示部の他の表示態様を示した説明図。
　　【符号の説明】
　　　　４　第２のモータ
　　　　５　第１のモータ
　　　　８　時針
　　　　９　分針
　　１４１　モード切換えスイッチ
　　１４４　モード切換えスイッチ
　　１４２　調時スイッチ
　　１４３　調時スイッチ